(57)【要約】      （修正有）【課題】締めひもの長さを随時調節することができる締めひも調節具を提供する。【解決手段】第１の方向に沿って周壁を長手に伸ばしてなり、周壁の両端が開口を有し、締めひもが二つ折りになって挿入される中空管体と、管体の内部に納まり、締めひもを挟んで締めるバックルとを備える。周壁に一対の貫通孔が第１の方向に離間して設けられ、バックルは、管体の内部と貫通孔と連通するホールが形成されて管体内に収まるベースと、ホールをインナーホール及び２つのアウターホールに仕切るようにベースに滑り移動可能に設けられた２つの締め体と、を備える。【選択図】図１
0003157215.tif 000002
【実用新案登録請求の範囲】
【請求項１】
２本の締めひもが入れられて前記締めひものそれぞれの長さを調節するための締めひも調節具であって、第１の方向に沿って周壁を長手に伸ばしてなり、前記周壁の両端が外部へ通じる開口を有し、前記締めひもが二つ折りになって挿入される中空管体と、前記管体の内部に納まり、前記締めひもを挟んで締めるバックルとを備え、
前記周壁に前記管体の内部と連通する一対の貫通孔が前記第１の方向に離間して設けられ、
前記バックルは、前記管体の内部と前記貫通孔と連通するホールが少なくとも１つ形成されて前記管体内に収まるベースと、前記ホールを少なくとも一つのインナーホール及び２つのアウターホールに仕切るように該ベースに滑り移動可能に設けられた２つの締め体と、を備え、
各前記締めひもの管体外部に残る自由端としての端部とは逆側の他端部を前記管体の開口より前記管体内に挿入し、次いで、前記締めひもに接する前記ベースの外枠及び前記締め体の上から回し込んで前記２つの締め体の間のインナーホールに通しながら折り曲げたのち、前記ベースの外枠及び前記他端部が当接する前記締め体の間にある前記アウターホールに通しながら前記外枠の上方へ回し込んだ後、さらに下方へ曲げて前記貫通孔より前記管体の周壁外へ引き出して止めるようにしてなる締めひも調節具。
【請求項２】
前記ベースとして、前記締めひもを回し込む外枠としての一対の外枠と他の一対の外枠とにより前記管体内に収まる環状フレームに形成されてなり、
前記締め体として前記他の一対の外枠に掛け渡され、その両端が同外枠に沿って滑り移動できる締め枠でなることを特徴とする請求項１に記載の締めひも調節具。
【請求項３】
前記管体は、前記管体をしごいて前記締め体を移動させることができる材質によりつくられることを特徴とする請求項１に記載の締めひも調節具。
【請求項４】
前記管体は、布素材からつくられることを特徴とする請求項３に記載の締めひも調節具。
【請求項５】
前記周壁の外表面に、装飾図案或いは文字を標記する表示部が形成されることを特徴とする請求項１に記載の締めひも調節具。
【考案の詳細な説明】
【技術分野】
【０００１】
本考案は、なわ、ひもなどの長さを調整する調節具に関し、より詳しくは、靴などに用いられる締めひもの長さを調節するための締めひも調節具に関する。
【背景技術】
【０００２】
従来の締めひも調節具の一例としては、図５を参照すると、中空状管体５１及び該管体５１の周壁に管径方向に対向すると共に管軸方向に離間して２対のピン孔５１ａが設けられており、２本の締めひも４がそれぞれ折り曲げられ且つそれぞれの先端部が管体５１の両端より外部に残るように対向して入れられ、Ｕの字形をした挿しピン５２の両端がそれぞれピン孔５１ａに挿通すると共に、板状留め部材５３が締めひも４の折曲部４０１内側に挟まれて管体５１の中に配置される。留め部材５３の締めひも４に当たる縁部５３ａはぎざぎざに形成され、その両側端には、管体５１の周壁に前記ピン孔５１ａと並列して設けられた２対の係止孔５１ｂに揺動自在に嵌められる突軸５３ｂが形成されている。挿しピン５２は、締めひも４の折曲部４０１内側を経て管体５１のピン孔５１ａに挿通し、締めひも４を引掛けて折り返させ、締めひも４をずらせて所要の長さを調節する。所要の長さに調節した後、挿しピン５２を引抜いて留め部材５３のぎざぎざを食い込ませて締めひも４の動きを止めると共に、挿しピン５２の揺動によって締めひも４を挿しピン５２及び管体５１の周壁と共に挟むことによって締めひも４が定位される。
【先行技術文献】
【特許文献】
【０００３】
【特許文献１】米国特許第7,343,652号公報
【考案の概要】
【考案が解決しようとする課題】
【０００４】
この従来例の締めひも調節具５は、締めひも４の長さを調節することができるが、一旦管体５１内に留め部材５３が定位されると、再び留め部材５３を動かすことができないので、締めひも４の長さを再調節することができないという問題がある。また、留め部材５３の縁部５３ａにおけるぎざぎざの形成や、管体５１に対する穿孔などの工程が煩雑で製造に手間がかかる。
【０００５】
本考案は、上記問題点を鑑みてなされたものであり、締めひもの長さを随時調節することができ、製造が簡単な締めひも調節具を提供することを目的とする。
【課題を解決するための手段】
【０００６】
前記目的を達成すべく、本考案は、２本の締めひもが入れられて締めひものそれぞれの長さを調節するための締めひも調節具であって、第１の方向に沿って周壁を長手に伸ばしてなり、周壁の両端が外部へ通じる開口を有し、締めひもが二つ折りになって挿入される中空管体と、管体の内部に納まり、締めひもを挟んで締めるバックルとを備え、周壁に管体の内部と連通する一対の貫通孔が第１の方向に離間して設けられ、バックルは、管体の内部と貫通孔と連通するホールが少なくとも１つ形成されて管体内に収まるベースと、ホールを少なくとも一つのインナーホール及び２つのアウターホールに仕切るように該ベースに滑り移動可能に設けられた２つの締め体と、を備え、各締めひもの管体外部に残る自由端としての端部とは逆側の他端部を管体の開口より管体内に挿入し、次いで、締めひもに接するベースの外枠及び締め体の上から回し込んで２つの締め体の間のインナーホールに通しながら折り曲げたのち、ベースの外枠及び前記他端部が当接する締め体の間にあるアウターホールに通しながら外枠の上方へ回し込んだ後、さらに下方へ曲げて貫通孔より管体の周壁外へ引き出して止めるようにしてなる締めひも調節具を提供する。
【０００７】
この締めひも調節具においては、ベースとして、締めひもを回し込む外枠としての一対の外枠と他の一対の外枠とにより管体内に収まる環状フレームに形成されてなり、締め体として他の一対の外枠に掛け渡され、その両端が同外枠に沿って滑り移動できる締め枠でなることが好ましい。
【０００８】
この締めひも調節具において、管体は、管体をしごいて締め体を移動させることができる材質によりつくられることが好ましい。
【０００９】
この締めひも調節具においては、管体は、布素材からつくられることが好ましい。
【００１０】
この締めひも調節具においては、周壁の外表面に、装飾図案或いは文字を標記する表示部が形成されることが好ましい。
【考案の効果】
【００１１】
本考案の締めひも調節具によれば、２本の締めひものそれぞれの他端部を締めひもに接するベースの外枠及び締め体を上から回し込んで２つの締め体の間に通し、同締め体と同外枠との間より出て管体の対応する貫通孔から引き出すようにし、当該貫通孔から出た締めひもの他端部及び自由端部の一方を他方に対して逆向きに引張ると、締めひもに接する締め体を同外枠へ引き寄せて同締め体と同外枠とで締めひもの他端部を締め付けることができる。一方、管体に対して外から指などでしごくと、締め体を動かせ、締めひもに対する締め付けを解除することができる。従って、随時締めひもの長さを調節することができる。
【図面の簡単な説明】
【００１２】
【図１】本考案の一実施の形態例の締めひも調節具を示す分解斜視図である。
【図２】同締めひも調節具において締めひもを調整する状態を示す断面図である。
【図３】同締めひも調節具において締めひもを挟持した状態を示す断面図である。
【図４】同締めひも調節具が靴に配置された状態を示す斜視図である。
【図５】従来の締めひも調節具の一例を概略的に示す分解斜視図である。
【考案を実施するための形態】
【００１３】
以下、添付図面を参照しながら本考案の締めひも調節具について説明する。
【実施例】
【００１４】
図１は、本考案の一実施の形態例の締めひも調節具を示す分解斜視図、図２は、同締めひも調節具において締めひもを調節する状態を示す断面図、図３は、同締めひも調節具において締めひもを挟持した状態を示す断面図、図４は同締めひも調節具が靴に配置された状態を示す斜視図である。図示の如く、本考案の締めひも調節具１００は、２本の締めひも４が対向方向から入れられて締めひも４のそれぞれの長さを調節して締め付けるための長さ調節具であり、中空管体１と該管体１内に収まって管体１内に入れられた締めひも４を挟んで締め留めるバックル２とを備えている。管体１は、例えば布材、ゴムなどの材料で作られることが好ましいが、指などでしごいて締め体２２を移動させることができる材質であれば制限されない。
【００１５】
なお、締めひも４は、両端にアグレットがついて所定の長さを有するものが用いられ、靴３の舌革３１の上の前革に設けられた２列のひも穴３１０に交互に交差的に通される。これらに関しては、周知の技術を使用できるため、詳細な説明を省略する。
【００１６】
管体１は、第１の方向に沿って周壁１１が長手に伸びてなり、周壁１１の両端１１１、１１２が外部へ通じる開口１１３、１１４を有し、締めひも４が二つ折りになって挿入される中空状に形成される。該周壁１１には、管体１の内部に連通する一対の貫通孔１２が第１の方向に離間して設けられている。貫通孔１２は、締めひも４の他端部４２が通ることができる径を有するように穿孔されることが好ましい。また、周壁１１の外表面１１０は、商標や品名の模様或いは文字などを標記する表示部１４が形成されることが好ましい。
【００１７】
バックル２は、管体１の内部１０と貫通孔１２に連通するホール２０が少なくとも１つ形成されており、管体１内に収まるベース２１と、ホール２０を一つのインナーホール２０１及び２つのアウターホール２０２に仕切るように該ベース２１に滑り移動可能に設けられた２つの締め体２２とを備えている。本実施形態において、ベース２１は、図示の如く、棒材を折曲げる、又は片材を穿孔する等の工程により管体１内に収まり相対する１対の短辺枠２１１と一対の長辺枠２１２の外枠で１つの長方形等のホール２０を画成する環状フレームを例として説明したが、２つのホールが画成された日の字形のフレームであってもよく、２つのホールにそれぞれにおいて、１つのインナーホール及び１つのアウターホールに仕切られる締め体２２を滑り移動可能に設けるようにしてもよい。ここでは、ベース２１として長方形フレームを例に挙げて詳細な説明をする。
【００１８】
フレーム状のベース２１において、２本の締め体としての棒状締め枠２２が、ホール２０を一つのインナーホール２０１及び２つのアウターホール２０２に仕切るように相対する１対の長辺枠２１２に掛け渡され、それぞれの両端が同長辺枠２１２に沿って滑り移動可能に設けられている。なお、締め枠２２が両端方向に伸縮できる構成であれば、ベース２１の２対の対向する外枠がそれぞれ平行でなくてもよいことはいうまでもない。
【００１９】
図３及び図４を参照すると、締めひも調節具１００により締めひも４の長さが調整されるように締めひも調節具１００が靴３に取り付けられる際、この締めひも調節具１００が２列のひも穴３１０の間に配置され、各締めひも４の管体１の外部に残る自由端としての端部４１とは逆側の他端部４２を管体１の開口１１３、１１４より管体１内に挿入し、次いで、締めひもに接する締め体を上から回し込んで２つの締め枠２２の間のインナーホール２０１に通しながら折り曲げたのち、同短辺枠２１１と締め枠２２の間のアウターホール２０２を通しながら短辺枠２１１の上方へ回し込んだ後、さらに下方へ曲げて貫通孔１２より管体１の周壁１１外へ引き出して結び目を付けたり、のりで固着したりすることで定位させる。管体１外に引き出された締めひも４の他端部４２は、図２、３に示されるように、余分な長さを切り捨てて例えば靴３の舌革３１内に止めるようにしてもよい。
【００２０】
締めひも４の自由端部４１側の長さを所定の長さに調整したいとき、管体１に対して外から指などで、締め枠２２を移動させると、アウターホール２０２が広くなり、締めひも４に対する締め付けが解除される。従って、以上の操作により締めひも４の緊緩を随時行うことができるので、使い勝手がよい。
【００２１】
以上により、本考案の締めひも調節具によれば以下の効果を奏することができる。
【００２２】
即ち、
一、  締め体によって複数のホールに仕切られたベースの所定のホールに締めひもを          通し、締めひもの両端部の一方に対して他方を引張ると、締め体とベースの対          応する外枠とにより挟んで締め付けることができ、また、所定の材料からつく          られた管体に指を当ててしごくと、締め体を動かせ、締めひもに対する締め付          けを解除することができる。従って、使い勝手がよく締めひもの長さを簡単に          且つ随時調節することができる。
二、  挿しピンや、所定形状の止め部材、ピン孔、係止孔を備えた管体から構成され          た従来例の締めひも調節具と比べて、穿孔工程が少なく、構成部材も減らすこ          とができ、組立てを簡単に済ませることができる。従って、製造のコストダウ          ンを図ることができる。
【符号の説明】
【００２３】
１００  締めひも調節具
１  管体
１０  内部
１１  周壁
１１０  外表面
１１１、１１２  両端
１１３、１１４  開口
１２  貫通孔
１４  表示部
２  バックル
２０  ホール
２０１  インナーホール
２０２  アウターホール
２１  ベース
２１１、２１２  外枠（短辺枠、長辺枠）
２２  締め体（締め枠）
３  靴
３１  舌革
３１０  穴
４  締めひも
４１、４２  ひもの端部
【図１】
0003157215.tif 000003
【図２】
0003157215.tif 000004
【図３】
0003157215.tif 000005
【図４】
0003157215.tif 000006
【図５】
0003157215.tif 000007